(57)【要約】【課題】レール基部に対するレール頭部、腹部の傾斜を整正することができるレール小返り整正器を提供する。【解決手段】レールＲの下方に配置される基台１上に取り付けられる固定治具２と、固定治具２に水平方向に移動自在に螺合されて先端部の押圧部６によってレール頭部Ｒ３を側方から押圧する押出部材４とを有し、押出部材４と対向する側に位置する固定治具２の内側に、レール基部Ｒ１の一方側の側縁部Ｒ２に係合される係合溝３を設ける。レールＲを上方から跨ぐように固定治具２を配置し、固定治具２の内側の係合溝３に、レール基部Ｒ１の一方側の側縁部Ｒ２に係合させ、押出部材４の押圧部６を水平移動させた場合に、レール頭部Ｒ３を側方に押圧することができ、レール頭部Ｒ３、腹部Ｒ４のレール小返りが整正される。【選択図】図１
2008190210.tif 000002
【特許請求の範囲】
【請求項１】
レールの下方に配置される基台上に取り付けられかつ該レールを上方から跨ぐように配置される固定治具と、この固定治具にレール幅方向に移動可能に設けられてその先端部の押圧部によってレール頭部を側方から押圧する押出部材とを具備し、
前記レールを挟んで押出部材と対向する側に位置する固定治具の内側には、レール基部の一方側の側縁部に係合される係合溝が設けられていることを特徴とするレール小返り整正器。
【請求項２】
前記固定治具は、レール下方に配置される基台上に脱着自在に取り付けられることを特徴とする請求項１記載のレール小返り整正器。
【請求項３】
前記押出部材は、レール幅方向へ移動可能に固定治具に螺合し、その先端には、前記レールに接することにより回転が規制される押圧部が押出部材に対して回転自在に設けられたことを特徴とする請求項１または２に記載のレール小返り整正器。
【発明の詳細な説明】
【技術分野】
【０００１】
本発明は現場においてレールを接続する二次溶接、三次溶接時に用いられて、レール基部に対するレール頭部、腹部の傾斜を整正するレール小返り整正器に関する。
【背景技術】
【０００２】
レールの傾きを整正する技術として、特開平８−３０２６０４号公報に示されるレール転倒防止装置が知られている。このレール転倒防止装置は、枕木に固定される本体部と、この本体部上の支持台に水平方向に移動自在に設けられた芯軸と、この芯軸の先端に設けられたローラとを具備するものであって、芯軸の先端のローラで、レールの腹部を側方から押圧することにより、レールの小返りを防止する。
【特許文献１】特開平８−３０２６０４号公報
【発明の開示】
【発明が解決しようとする課題】
【０００３】
ところで、現場では、長尺の１７５Mレールを載置する仮設受け台の載置状態（高低、通り（軌間線）のずれ）によっては、受け台上にあるレールの基部に対してレール頭部、腹部が傾斜してしまう場合があり、レール芯出し時においてこれを整正する必要がある。しかしながら、芯出し時においてこのような整正作業を行うことで、芯出し作業時間が長くなり、作業能率の低下を招くという問題が生じる。一方、背景技術で述べたレール転倒防止装置は、不良レール交換時においてレール腹部を側方から支持して、レール曲線部に加わるレールの傾き、転倒を防止するものであって、上述したレール基部に対して傾斜したレール頭部、腹部を整正することはできず、この点において新しい技術の提供が求められていた。
【０００４】
本発明は、従来の有していた問題を解決しようとするものであって、レール基部に対するレール頭部、腹部の傾斜を整正することができるレール小返り整正器の提供を目的とする。
【課題を解決するための手段】
【０００５】
そして、上記目的を達成するために本発明の課題解決手段では、レールの下方に配置される基台上に取り付けられかつ該レールを上方から跨ぐように配置される固定治具と、この固定治具に水平方向に移動可能に設けられてその先端部の押圧部によってレール頭部を側方から押圧する押出部材とを具備し、前記レールを挟んで押出部材と対向する側に位置する固定治具の内側に、レール基部の一方側の側縁部に係合される係合溝を設ける。また、本発明の課題解決手段では、前記固定治具を、レール下方に配置される基台上に脱着自在に取り付ける。
【０００６】
また、前記押出部材は、レール幅方向へ移動可能に固定治具に螺合し、その先端には、前記レールに接することにより回転が規制される押圧部が押出部材に対して回転自在に設けられたことを特徴とする。
【発明の効果】
【０００７】
以上説明したように本発明のレール小返り整正器では、レールを上方から跨ぐように固定治具を配置し、かつ該固定治具の内側の係合溝に、レール基部の一方側の側縁部を係合させた状態で、レールを挟んで係合溝と対向する側に位置する押出部材を、水平方向に沿って内側に移動させた場合に、この押出部材の先端部に位置する押圧部により、レール頭部を側方から押圧することができ、これによりレール基部に対して傾斜しているレール頭部、腹部のレール小返りを容易に整正することができる。また、本発明のレール小返り整正器は、レール基部の一方側の側縁部が係合される係合溝を作用点、レール腹部の下端部を支点として、押出部材先端の押圧部がレール頭部を側方に向けて押圧する、てこの原理を利用するものであるので、レール基部に対してレール頭部、腹部が傾斜するレール小返りを小さい力で整正することができ、そのレール小返り整正作業を能率良く行うことができる。
【０００８】
また、本発明のレール小返り整正器は、レールの下方に配置される基台上に固定治具を脱着自在に取り付けられるものであるので、その取り付け、取り外しによって固定治具の移動を容易に行うことができ、この点においても作業の効率化が図られる。
【発明を実施するための最良の形態】
【０００９】
以下に本発明の実施の形態を図１〜図３に基づいて説明する。図１は本発明に係わるレール小返り整正器をレールＲにセットした状態を示す図であって、この図において符号１で示すものはレールＲの下方に配置される基台である。この基台１には、正面視コ字状の固定治具２が脱着自在に取り付けられている。
【００１０】
固定治具２はレールＲを上方から跨ぐように配置されるものであって、矢印Ａ側に位置する側部２Ａの内側下部には、レール基部Ｒ１の一方側の側縁部Ｒ２に係合される係合溝３が設けられている。また、この係合溝３に対向する固定治具２の側部２Ｂ（矢印Ｂ側に位置する側部）には押出部材４が設けられている。この押出部材４は、固定治具２の側部に水平方向（矢印Ａ−Ｂ方向）に移動自在に螺合されたボルト５と、このボルト５の先端に設けられてその前面でレール頭部Ｒ３を矢印Ａ方向に押圧する押圧部６と、この押圧部６の上方に設けられた案内手段７とから構成される。案内手段７は、固定手段２の上部２Ｃ内に水平方向（矢印Ａ−Ｂ方向）に配置された案内溝８と、案内溝８に係合されかつ案内溝８に沿って同方向にスライド自在な支持棒９とからなるものであって、支持棒９の下部は押圧部６に連結され該押圧部６を上方から懸架する。
【００１１】
そして、このような押出部材４では、作業員がレンチによりボルト５の頭部５Ａを時計方向に回転させた場合、案内溝８の案内によってボルト５の先端に位置する押圧部６が矢印Ａ方向に移動し、前方に位置するレール頭部Ｒ３を同方向に押圧する。このときレールＲの反対側に位置するレール基部Ｒ１の側縁部Ｒ２は係合溝３に係合された状態にあるので、このレール基部Ｒ１の側縁部Ｒ２と係合溝３との接触部が作用点、レール腹部Ｒ４の下端部（符号Ｒ５で示す）が支点となって、レール頭部Ｒ３に対して矢印（イ）方向の力が加えられ、これによってレール基部Ｒ１に対して傾斜しているレール頭部Ｒ３、腹部Ｒ４のレール小返りを整正することができる。
【００１２】
なお、このような小返り整正作業を行うレールＲは長尺レールであり、作業時においてレールＲが動かないように固定された状態にある。また、レール頭部Ｒ３に側方から接する押圧部６の前面（符号６Ａで示す）は、レール頭部Ｒ３の形状に合わせて下部が矢印Ａ方向に若干突出している。また、上述した固定治具２は基台１に対して脱着自在に設けられており、その取り付け、取り外しは、ボルト・ナットからなる締結手段（図示略）により行われる。
【００１３】
以上説明したような本実施形態に示されるレール小返り整正器では、レールＲを上方から跨ぐように固定治具２を配置し、かつ固定治具２の内側の係合溝３に、レール基部Ｒ１の一方側（矢印Ａ側）の側縁部Ｒ２に係合させた状態で、固定治具２に螺合された押出部材４のボルト５を、レールＲの他方側（矢印Ｂ側）から水平方向に移動させた場合（つまり、矢印Ａ方向に向けて移動させた場合）に、ボルト５の先端に位置する押圧部６により、レール頭部Ｒ３を側方から矢印Ａ方向に向けて押圧することができ、これによりレール基部Ｒ１に対して傾斜しているレール頭部Ｒ３、腹部Ｒ４のレール小返りを容易に整正することができる。
【００１４】
また、上記のレール小返り整正器は、固定治具２の内側の係合溝３に、レール基部Ｒ１の一方側（矢印Ａ側）の側縁部Ｒ２に係合させた状態で、固定治具２に螺合された押出部材４のボルト５を矢印Ａ方向に移動させることにより、ボルト５の先端部に位置する押圧部６が、レール頭部Ｒ３を同方向に向けて押圧する、すなわち、レール基部Ｒ１の一方側の側縁部Ｒ２が係合される係合溝３を作用点、レール腹部Ｒ４の下端部（符号Ｒ５で示す）を支点として、ボルト５先端の押圧部６がレール頭部Ｒ３を矢印（イ）方向に向けて押圧する、てこの原理を利用するものであるので、レール基部Ｒ１に対してレール頭部Ｒ３、腹部Ｒ４が傾斜するレール小返りを比較的、小さい力で整正することができ、そのレール小返り整正作業を能率良く行うことができる。
【００１５】
また、上記のレール小返り整正器は、締結手段（図示略）によってレールＲの下方に配置される基台１上に固定治具２を脱着自在に取り付けられるものであるので、その取り付け、取り外しによって固定治具２の移動を容易に行うことができ、この点においても作業の効率化が図られる。
【図面の簡単な説明】
【００１６】
【図１】レール小返り整正器をレールＲにセットした状態の正面図
【図２】図１のレール小返り整正器を矢印ＩＩ方向から見た側面図
【図３】図１のレール小返り整正器を矢印ＩＩＩ方向から見た側面図
【符号の説明】
【００１７】
１  基台
２  固定治具
３  係合溝
４  押出部材
５  ボルト
６  押圧部
７  案内手段
Ｒ  レール
Ｒ１  レール基部
Ｒ２  レール側縁部
Ｒ３  レール頭部
Ｒ４  レール腹部
【図１】
2008190210.tif 000003
【図２】
2008190210.tif 000004
【図３】
2008190210.tif 000005